(57)【要約】【課題】光センサの外光の検出特性を人間の視覚に近づけることで、人間の感じる明るさに対応して、表示装置の表示画面の明るさを調整することを可能とする。【解決手段】画像を表示する表示部１２と、前記表示部１２が形成された基板１１に形成されたもので可視光の異なる波長帯の光をそれぞれに受光する複数の光センサ２１と、前記異なる波長帯の光をそれぞれに受光した光センサ２１の各出力信号Ｒout、Ｇout、Ｂoutに対して人間の視覚の感度特性に合わせ込む重み付けをし、前記重み付けした各出力信号を加算して得た制御信号Ｙ、Ｒsig’、Ｇsig’、Ｂsig’に基づいて前記表示部１２の明るさを調整する制御部３５とを備えたことを特徴とする。【選択図】図１
2008129380.tif 000002
【特許請求の範囲】
【請求項１】
画像を表示する表示部と、
前記表示部が形成された基板に形成されたもので可視光の異なる波長帯の光をそれぞれに受光する複数の光センサと、
前記異なる波長帯の光をそれぞれに受光した光センサの各出力信号に対して前記光センサの分光感度特性を考慮して人間の視覚の感度特性に合わせ込む重み付けをし、前記重み付けした各出力信号を加算して得た制御信号に基づいて前記表示部の明るさを調整する制御部と
を備えたことを特徴とする表示装置。
【請求項２】
前記各光センサは光入射側に可視光の異なる波長帯の光を透過するカラーフィルタを有する
ことを特徴とする請求項１記載の表示装置。
【請求項３】
前記各光センサに形成されたカラーフィルタおよび前記表示部に形成されたカラーフィルタは、同一色のカラーフィルタ同士が同一のカラーフィルタ層で形成されている
ことを特徴とする請求項２記載の表示装置。
【請求項４】
前記光センサから出力されたアナログセンサ信号の比較出力を定期的なサンプリングクロックでサンプリングしながらデジタル信号に変換して前記制御部に出力するアナログ−デジタル変換器
を備えたことを特徴とする請求項１記載の表示装置。
【請求項５】
前記アナログ−デジタル変換器は、時分割方式多ビットのアナログ−デジタル変換器であり、
前記光センサの信号を増幅するコンパレータ回路を用いた増幅器と、
前記増幅器の後段に設けたラッチ回路とからなる
ことを特徴とする請求項４記載の表示装置。
【請求項６】
前記表示装置は液晶表示装置であって、
前記制御部から出力された制御信号に基づいて、前記液晶表示装置に搭載された前記表示部の輝度を調整する輝度調整回路により、前記液晶表示装置の表示部の明るさを前記表示部周囲の明るさに対応した明るさに調整する
ことを特徴とする請求項１記載の表示装置。
【請求項７】
前記表示部の明るさの調整は、前記輝度調整回路のうち前記表示部を照らすバックライトの輝度を調整するバックライト回路により行う
ことを特徴とする請求項６記載の表示装置。
【請求項８】
前記表示部の明るさの調整は、前記輝度調整回路のうち前記表示部の輝度を調整する映像信号処理回路により行う
ことを特徴とする請求項６記載の表示装置。
【発明の詳細な説明】
【技術分野】
【０００１】
本発明は、表示パネルの周囲の明るさを考慮して表示パネル自体の明るさが調整される表示装置に関する。
【背景技術】
【０００２】
表示装置には、その表示パネル（例えば液晶表示パネル）上に、外光の明るさを検出するためのフォトセンサが一体に形成されているものがある。上記フォトセンサによって、表示パネル周囲の光（以下、外光という）を検出し、その検出値に基づいて、例えば液晶表示パネルであれば、そのバックライトの輝度調整もしくはディスプレイの画像調整を行う。バックライトの輝度調整では、外光が暗いときはバックライトの輝度を低くし、外光が明るいときはバックライトの輝度を高くするという調整を行う。また画像調整では、輝度調整と同様に、信号処理のレベルとして、外光が暗いときには輝度信号レベルを下げて、外光が明るいときには輝度信号レベルを上げるという調整を行う。
【０００３】
例えば、図１５のフローチャートに示すように、「光センサ」によって表示パネルの周囲の外光を検出する。「光センサ」によって受光された外光は光電変換され、電気信号として出力される。この電気信号は、「増幅器」で増幅され、「ＡＤ変換器」でアナログ信号からデジタル信号に変換され、「制御部」で上記「光センサ」で検出した光量に対応した輝度とする信号を「バックライト駆動部」に送り、これによって「バックライト」の輝度を調節する。この場合、図１６に示すように、輝度出力に対してバックライト輝度は比例して線形的に増加する。また、「制御部」で上記「光センサ」で検出した光量に対応した輝度信号レベルとする信号を「映像信号処理回路」に送り、これによって「ＬＣＤ」の輝度信号レベルを調節する。この場合、図１７に示すように、輝度出力に対して輝度信号レベルは比例して線形的に増加する。このようにして、バックライトおよびＬＣＤの輝度を調整する（例えば、特許文献１参照。）。
【０００４】
上記バックライトおよびＬＣＤの輝度調整技術では、上記光センサの分光感度特性、すなわち波長に対する感度特性が、人間の感じる明るさの感度特性と一致していない。特に光センサは、人間が明るいと感じない波長領域、例えば紫外光領域も検出して、バックライトの輝度調整をしてしまうため、人間が感じる明るさと差異を生じるという問題点がある。つまり、人間が外光はさほど明るくはないと感じていても、光センサは紫外線も感知しているため、明るいと判断することになる。このような場合には、バックライトは適性な明るさよりも明るく調整されてしまうため、明るく画面表示となり、例えばこのような明るく画面を見つづけると目が疲れるという障害が発生する。
【０００５】
【特許文献１】特開２００４−７８１６０号公報
【発明の開示】
【発明が解決しようとする課題】
【０００６】
解決しようとする問題点は、人間の感じる明るさに対応して、表示装置の表示画面の明るさを調整することが困難な点である。
【０００７】
本発明は、光センサの外光の検出特性を人間の視覚に近づけることで、人間の感じる明るさに対応して、表示装置の表示画面の明るさを調整することを課題とする。
【課題を解決するための手段】
【０００８】
請求項１に係る本発明は、画像を表示する表示部と、前記表示部が形成された基板に形成されたもので可視光の異なる波長帯の光をそれぞれに受光する複数の光センサと、前記異なる波長帯の光をそれぞれに受光した光センサの各出力信号に対して人間の視覚の感度特性に合わせ込む重み付けをし、前記重み付けした各出力信号を加算して得た制御信号に基づいて前記表示部の明るさを調整する制御部とを備えたことを特徴とする。
【０００９】
請求項１に係る本発明では、表示部が形成された基板に複数の光センサが設けられ、複数の光センサが異なる波長帯の光をそれぞれに受光することから、これらの光センサにおいて波長帯毎の感度がわかる。そして、制御部で、異なる波長帯の光をそれぞれに受光した光センサの各出力信号に対して人間の視覚の感度特性に合わせ込む重み付けをし、この重み付けした各出力信号を加算して得た制御信号に基づいて前記表示部の明るさを調整することから、外光の状態に対応して、最も見やすい明るさに表示部が調整される。
【発明の効果】
【００１０】
請求項１に係る本発明によれば、表示部を人間の目が感じる分光感度特性に対応した明るさに調整できるので、表示部が見やすい明るさになるという利点がある。これによって、表示部を見続けることによる目の疲労が大幅に軽減されることになる。
【発明を実施するための最良の形態】
【００１１】
本発明の表示装置に係る一実施の形態（実施例）を、図１のフローチャートおよび図２の平面レイアウト図によって説明する。先ず、表示装置１の全体を図２によって説明する。
【００１２】
図２に示すように、基板１１には、画像を表示する表示部１２が形成されている。この表示部１２の周囲の基板１１には、可視光の異なる波長帯の光をそれぞれに受光する複数の光センサ２１が形成されている。基板１１は、例えばガラス基板が用いられている。また、上記基板１１には、上記表示部１２の周囲に、表示部１２の垂直駆動回路１３、セレクタスイッチ１４、ＤＣＤＣ変換器１５等が形成され、さらに基板１１上にチップオングラス（ＣＯＧ）ＩＣ構成の表示部駆動回路１６、センサ駆動回路１７等が形成され、またフレキシブルプリント基板（ＦＰＣ）により、図示はしていないディスプレイインターフェース、センサインタフェース等が接続されている。
【００１３】
上記表示装置１では、図１に示すように、上記複数の光センサ２１は、光入射側に可視光の異なる波長帯の光を透過するカラーフィルタを備えているもので、例えば、赤色の波長帯の光を透過するカラーフィルタ２２（２２Ｒ）を備えた光センサ２１Ｒ、緑色の波長帯の光を透過するカラーフィルタ２２（２２Ｇ）を備えた光センサ２１Ｇ、青色の波長帯の光を透過するカラーフィルタ２２（２２Ｂ）を備えた光センサ２１Ｂの３種類の光センサからなる。上記カラーフィルタ２２の色は、光の３原色である赤色、緑色、青色に限定されず、補色を用いたものであってもよい。また、各光センサ２１に形成されたカラーフィルタ２２および条記表示部１２に形成されたカラーフィルタ（図示せず）は、同一色のカラーフィルタ同士が同一のカラーフィルタ層で形成されている。
【００１４】
上記複数の光センサ２１のそれぞれは、表示部１２〔前記図１参照〕の周囲の外光Ｌを受光し、光電変換を行う。そして、上記複数の光センサ２１のそれぞれで光電変換されて出力されたアナログセンサ信号を増幅器３１によって増幅した後、アナログデジタル変換器（以下、ＡＤ変換器と記す）３３（３３Ｒ、３３Ｇ、３３Ｂ）によってデジタル信号に変換する。このＡＤ変換器３３は、複数の光センサ２１のそれぞれから出力されたアナログセンサ信号の比較出力（２値化出力）を定期的なサンプリングクロックでサンプリングしながらデジタル信号に変換して制御部３５に出力するものである。
【００１５】
上記デジタル信号が送られる制御部３５は、異なる波長帯の光をそれぞれに受光した光センサ２１Ｒ、２１Ｇ、２１Ｂの各出力信号（上記デジタル信号）に対して人間の視覚の感度特性に合わせ込む重み付けをし、この重み付けした各出力信号を加算して得た制御信号に基づいて上記表示部１１の明るさを調整するものである。例えば、上記表示装置１が液晶表示装置の場合、上記制御部３５から出力された制御信号に基づいて、液晶表示装置に搭載された表示部１２（以下、液晶ディスプレイ：ＬＣＤ５３として説明する）の輝度を調整する輝度調整回路により、ＬＣＤの明るさをＬＣＤ周囲の明るさに対応した明るさに調整する。このＬＣＤの明るさの調整は、上記輝度調整回路のうちＬＣＤ５３を照らすバックライト４３の輝度を調整するバックライト駆動部４１により行う。もしくは、ＬＣＤ５３の明るさの調整は、上記輝度調整回路のうち、ＬＣＤ５３の輝度を調整する映像信号処理回路５１により行う。また、制御部３５で用いる重みａ１、ａ２、ａ３は、例えば記憶部３６に格納しておく。また光センサ感度ｂ１、ｂ２、ｂ３等も記憶部３６に格納しておくことができる。この記憶部３６は、例えばＲＯＭ／ＲＡＭで構成されている。
【００１６】
次に、上記制御部３５で行われる上記デジタル信号への重み付けについて説明する。
【００１７】
図３に示すように、上記光センサの感度特性として、センサ感度と受光波長との関係は例えば線形であり、波長が短い方が、センサ感度が高く、波長が長くなるにつれてセンサ感度が低下する。
【００１８】
例えばリーク形式の光センサでは、図４に示すように、縦軸に電流（ｐＡ）、横軸に外光照度（ｌｘ）を示すと、線形な感度特性が得られる。また光センサの波長依存特性は、、例えば短波長側の感度が高い。
【００１９】
また、図５に示すように、人間の視覚は、可視光の波長帯に感度を有し、特に緑色の波長帯の感度が高い。一方、紫外光、赤外光には感度を有さず、青色や赤色の波長帯は緑色の波長帯より感度が低くなる。このように、人間の比視感度と光センサの感度とに差異が生じている。
【００２０】
そこで、感度差を補正するには、光センサの青色の出力結果は相対的に軽んじて、赤色の出力結果は相対的に重んじるような重み付け計算をして、それをバックライト制御や映像信号処理回路にフィードバックをかける。
【００２１】
具体的には、この感度差を補正するため、光センサ２１Ｒ、２１Ｇ、２１Ｂの各出力信号に対して人間の比視感度に合うように重み付けをする。例えば、光センサに設けたカラーフィルタは、赤色、緑色、青色である。そこで、図６に示すように、赤色のカラーフィルタを透過した光を受光した光センサ２１Ｒの出力信号Ｒoutには重みａ３、緑色のカラーフィルタを透過した光を受光した光センサ２１Ｇの出力信号Ｇoutには重みａ２、青色のカラーフィルタを透過した光を受光した光センサ２１Ｂの出力信号Ｂoutには重みａ１を付ける。したがって、各出力信号に重みを乗じた値の和が制御信号Ｙとなる。すなわち、Ｙ＝ａ３×Ｒout＋ａ２×Ｇout＋ａ１×Ｂoutとなる。そして、バックライトの輝度調整を行う制御信号Ｙをバックライト駆動部４１に送る。
【００２２】
ここで、バックライトの輝度と制御信号Ｙとの関係は、一例として、図７に示すように、制御信号Ｙ値の増加とともに比例してバックライトの輝度も増加するという、例えば線形の関係にある。
【００２３】
また、上記制御部３５から出力される制御信号によるフィードバックを、映像信号処理回路５１を用いてＬＣＤ５３の輝度調整にしてもよい。
【００２４】
上記光センサ２１Ｒ、２１Ｇ、２１Ｂは、図８に示すように、光センサ特性であるセンサ感度と受光波長との関係が線形である。通常、波長が短い方が、センサ感度が高く、波長が長くなるにつれてセンサ感度が低下する。このように、人間の比視感度と光センサの感度とに差異が生じている。ここで、赤色のカラーフィルタを透過した光を受光した光センサ２１Ｒの感度をｂ３、緑色のカラーフィルタを透過した光を受光した光センサ２１Ｇの感度をｂ２、青色のカラーフィルタを透過した光を受光した光センサ２１Ｂの感度をｂ１とする。この場合、赤色のカラーフィルタを透過した光を受光した光センサ２１Ｒの制御信号Ｒsigに重み（出力信号Ｒout／ｂ３）を付ける。同様に、緑色のカラーフィルタを透過した光を受光した光センサ２１Ｇの制御信号Ｒsigに重み（出力信号Ｇout／ｂ２）を付け、青色のカラーフィルタを透過した光を受光した光センサ２１Ｂの制御信号Ｒsigに重み（出力信号Ｂout／ｂ１）を付ける。
【００２５】
したがって、映像信号処理回路にフィードバックされる赤色の制御信号Ｒsig’は、Ｒsig’＝Ｒsig×Ｒout／ｂ３となる。また緑色の制御信号Ｇsig’は、Ｇsig’＝Ｇsig×Ｇout／ｂ２となり、青色の制御信号Ｂsig’は、Ｂsig’＝Ｂsig×Ｂout／ｂ１となる。
【００２６】
上記表示装置１では、表示部１２が形成された基板１１に複数の光センサ２１が設けられ、複数の光センサ２１が異なる波長帯の光をそれぞれに受光することから、これらの光センサにおいて波長帯毎の感度がわかる。そして、制御部３５で、異なる波長帯の光をそれぞれに受光した光センサ２１Ｒ、２１Ｇ、２１Ｂの各出力信号に対して人間の視覚の感度特性に合わせ込む重み付けをし、この重み付けした各出力信号を加算して得た制御信号に基づいて、表示部１２の明るさを調整することから、外光の状態に対応して、最も見やすい明るさに表示部１２が調整され、最適な色調整が可能になる。これによって、表示部１２を見続けることによる目の疲労が大幅に軽減されることになる。また、複数の光センサ２１がいわゆる額縁領域に形成されることから、光センサ２１の配置の自由度が高い。また、複数箇所に光センサ２１を配置することができる。また、光センサ２１を配置するスペースを特別に設ける必要がないので省スペース化できる。
【００２７】
上記複数の光センサ２１は、異なる波長帯の光をそれぞれに受光した光センサを一群として、その単数もしくは複数が、表示部１２の周囲、いわゆるディスプレイの額縁部分に配置されている。例えば、図９（１）に示すように、表示部１２の周囲に光センサ２１が一つ配置されている場合、図９（２）に示すように、表示部１２の周囲に光センサ２１が複数配置されている場合、図９（３）に示すように、光センサ２１が表示部１２を取り囲むように配置されている場合等がある。上記光センサ２１は、例えば赤色のカラーフィルタ、緑色のカラーフィルタ、青色のカラーフィルタを備えた光センサがまとめて形成されている。
【００２８】
また、図９（３）の構成では、可視光の異なる波長帯の光をそれぞれに受光する光センサを、表示部１２の周囲に配列して構成することができる。その配列は、例えば周囲方向に赤色のカラーフィルタ、緑色のカラーフィルタ、青色のカラーフィルタを備えた光センサを順に繰り返し配列してもよく、また表示部１２側より赤色のカラーフィルタ、緑色のカラーフィルタ、青色のカラーフィルタを備えた光センサを順に配列してもよい。この配列順は適宜変更することができる。このようなボーダー領域内に配置された光センサ２１では、ＧＲＢの３色のカラーフィルタを有することで、ホワイトボーダー領域もしくはブラックボーダー領域が形成される。
【００２９】
また、上記表示装置１において複数の光センサ２１が形成されている領域は、例えば図１０の部分断面図に示すように、複数の光センサ２１は、液晶ＬＣが充填された下部ガラス基板１１Ａと上部ガラス基板１１Ｂとの間の例えば下部ガラス基板１１Ａに、例えば読み出し回路１８とともに形成されている。一方、上部ガラス基板１１Ｂにはブラックマスク１９が形成されていて、複数の光センサ２１の光入射側のブラックマスクには開口部２０が形成されている。これによって、外光Ｌが複数の光センサ２１に入射されるようになっている。また、上記カラーフィルタ２２は上部ガラス基板１１Ｂ上に上記ブラックマスク１９と同様に形成されている。
【００３０】
上記複数の光センサ２１を構成する個々の光センサには、ボトムゲート構造の低温ポリシリコンＴＦＴ（Thin Film Transistor）を用いることができる。その構成例を、図１１の概略構成断面図によって説明する。
【００３１】
図１１に示すように、第１基板１０１上にゲート電極１０４が形成されている。上記第１基板１０１には、例えば厚さ０．４ｍｍ〜１．１ｍｍ程度、例えば０．７ｍｍ厚のガラス基板を用いる。このガラス基板のかわりに石英基板を用いてもよい。この第１基板１０１は、上記図１０によって説明した下部ガラス基板１１Ａに相当する。
【００３２】
上記ゲート電極１０４には、例えば厚さが１００ｎｍのモリブデン（Ｍｏ）膜を用いる。上記ゲート電極１０４上には、被覆するようにゲート絶縁膜１０５が形成されている。ゲート絶縁膜１０５は、例えば、酸化珪素（ＳｉＯ2）層、または酸化珪素（ＳｉＯ2）層と窒化珪素（ＳｉＮx）層との積層体で形成されている。さらにゲート絶縁膜１０５上にはポリシリコン層掛けされ、このポリシリコン層でチャネル形成領域１０６、その両側にｎ-型ドープ領域１０７、ｎ+型ドープ領域１０８が形成されている。このように、アクティブ領域は高いオン電流と低いオフ電流を両立するためのＬＤＤ（Lightly Doped Drain）構造としてある。またチャネル形成領域１０６上にはｎ-型のリンイオン打込み時にチャネルを保護するためのストッパー層１０９が形成されている。このストッパー層１０９は、例えば酸化珪素（ＳｉＯ2）層で形成されている。
【００３３】
さらに、酸化珪素（ＳｉＯ2）層、または酸化珪素（ＳｉＯ2）層と窒化珪素（ＳｉＮx）層との積層体からなるパッシベーション膜１１０が形成されている。このパッシベーション膜１１０上に、各ｎ+型ドープ領域１０８に接続するソース電極１１１およびドレイン電極１１２が形成されている。各ソース電極１１１およびドレイン電極１１２は例えばアルミニウム、アルミニウム合金、高融点金属等の導電性材料で形成されている。
【００３４】
上記パッシベーション膜１１０上に、カラーフィルタ１１３（前記説明したカラーフィルタ２２に相当）が形成されている。このカラーフィルタの形成工程を例えば３回行うことで、ＲＧＢの３色（赤、緑、青）のカラーフィルタが形成される。さらに、カラーフィルタ１１３上には、表面が平坦化された保護膜１１４が形成されている。この保護膜１１４は、例えばポリメチルメタクリル酸樹脂系の樹脂により形成されている。なお、上記カラーフィルタ１１３は、前記図１０に示したように、ＴＦＴが形成される下部ガラス基板１１Ａに対向する上部ガラス基板１１Ｂに形成されてもよい。
【００３５】
上記個々の光センサ２１Ｓは、上から入射した外光Ｌがチャネル形成領域１０６に照射されたときのリーク電流を読み出すことで、光を検出している。上記説明したように、光センサ２１Ｓは、第１基板１０１側に形成される液晶表示装置の読み出し回路、駆動回路等に用いられるＴＦＴと同一プロセスで作製することができる。また、いわゆる額縁領域に形成することが可能であるので、多数の光センサを配置することが可能になる。この結果、受光感度を高めることができ、高精度な外光の制御が可能になる。
【００３６】
また、表示部１２の画素の周囲に複数の光センサ２１を配置することができる。このような構成であっても、上記説明したようなカラーフィルタを形成することが可能になる。例えば、表示部１２の画素上のカラーフィルタを形成するのと同一マスクに光センサ用のカラーフィルタパターンを形成しておくことで、表示部１２の画素のカラーフィルタと同一マスクで光センサ２１上のカラーフィルタも形成することが可能になる。
【００３７】
次に、外光を光センサで検出して例えばバックライトにフィードバックを行う回路構成の一例を、図１２のブロック図によって説明する。
【００３８】
図１２に示すように、３色（ＲＧＢ）のカラーフィルタ２３を備えた光センサ２１で光電変換された信号は、増幅器３１で増幅され、ＡＤ変換器（例えば時間分割８ビットＡＤ変換器）３５を通してデジタル化された出力信号Ｒout、Ｇout、Ｂoutに変換され、このデジタル信号は制御部３５内のプロセッサー３７で記憶部（例えばＲＯＭ）３６に記憶された重みａ１、ａ２、ａ３を読み出し、またセッティングパラメータを読み出して重み付けされ、タイミング制御部３８からのタイミング信号を受けてバックライト駆動部４１に出力され、バックライト４３の光量、輝度にフィードバックをかける。そして、バックライト（例えばＬＥＤバックライト）４３の光量、輝度等が調整される。
【００３９】
次に、前記図１によって説明した増幅器３１およびＡＤ変換器３３は図１３に示すような回路構成をとることができる。この回路構成の一例は、ＣＭＯＳセンサの回路と同様であり、光センサ２１にリセット回路が接続され、信号出力側に蓄積容量Ｃがあり、増幅器３１には一例としてコンパレータ（比較器）を用いている。このコンパレータ回路と増幅器３１の後段にあるラッチ回路を用いて時分割方式多ビットのＡＤ変換器３３を実現している。
【００４０】
例えば、図１４に示したタイミングチャートＡは、前記図１３に示したノードＡの位置で電荷を貯める状態を示しており、光センサに光が当たれば当たるほど電流が流れて、電源にチャージした後に、さらに光が当たれば当たるほど、電荷が抜けて行く状態を示している。またタイミングチャートＡに示すように、当たる光が強ければ電荷が抜ける速度も速くなる。この信号を比較器〔前記図１３参照〕で２値化する。そして比較器（前記図１３に示したノードＢ）から出力された信号を、図１４のタイミングチャートＢに示すように、反転するタイミングが強い光では速くなるように、弱い光では遅くなるようにサンプリングしている。このサンプリングは、ある定期的なタイミングで行う。サンプリング後の信号をラッチ回路〔前記図１３参照〕に格納すると、完全なデジタル信号となり、光が強ければ速くＨｉｇｈになり、光が弱ければある程度の時間が経過してからＨｉｇｈになる。このＨｉｇｈになる時間を読み取ること、すなわち、しきい値を制御することによって、光の強弱を得ることができるというＡＤ変換器〔前記図１３参照〕である。
【図面の簡単な説明】
【００４１】
【図１】本発明の表示装置に係る一実施の形態（実施例）を示したフローチャートである。
【図２】本発明の表示装置に係る一実施の形態（実施例）を示した平面レイアウト図である。
【図３】光センサの感度と受光波長との関係図である。
【図４】光センサの電流と外光照度との関係の一例を示した図面である。
【図５】人間の視覚の感度と受光波長との関係図である。
【図６】人間と光センサの感度差を補正する重みと受光波長の関係図である。
【図７】バックライトの輝度と制御信号Ｙとの関係図である。
【図８】光センサのセンサ感度と受光波長との関係図である。
【図９】光センサの配置の一例を示した平面図である。
【図１０】表示装置の複数の光センサが形成される領域の一例を示した部分断面図である。
【図１１】光センサに用いるボトムゲート構造の低温ポリシリコンＴＦＴの一例を示した概略構成断面図である。
【図１２】フィードバックを行う回路構成の一例を示したブロック図である。
【図１３】増幅器とＡＤ変換器の一例を示した回路図である。
【図１４】光の強弱によるサンプリングの一例を説明するタイミングチャートである。
【図１５】従来の表示装置に係る一例を示したフローチャートである。
【図１６】バックライト輝度と輝度出力との関係図である。
【図１７】輝度信号レベルと輝度出力との関係図である。
【符号の説明】
【００４２】
１…表示装置、１１…基板、１２…表示部、２１…複数の光センサ、３５…制御部、Ｒout，Ｇout，Ｂout…出力信号、Ｙ，Ｒsig’，Ｇsig’，Ｂsig’…制御信号
【図１】
2008129380.tif 000003
【図２】
2008129380.tif 000004
【図３】
2008129380.tif 000005
【図４】
2008129380.tif 000006
【図５】
2008129380.tif 000007
【図６】
2008129380.tif 000008
【図７】
2008129380.tif 000009
【図８】
2008129380.tif 000010
【図９】
2008129380.tif 000011
【図１０】
2008129380.tif 000012
【図１１】
2008129380.tif 000013
【図１２】
2008129380.tif 000014
【図１３】
2008129380.tif 000015
【図１４】
2008129380.tif 000016
【図１５】
2008129380.tif 000017
【図１６】
2008129380.tif 000018
【図１７】
2008129380.tif 000019